(57)【要約】【課題】小型高精細のアクティブマトリクス型液晶表示装置において、安価な検査装置を使用し、点灯表示検査を容易に行うことができる液晶表示装置を提供する。【解決手段】複数の画像信号配線と、複数の走査信号配線とを絶縁膜を介して交差して設け、この画像信号配線と走査信号配線との交差部に、画素電極とこの画素電極に画像信号を供給するスイッチング素子とを設け、前記画素電極とこの画素電極に対向して設けられた対向電極との間に液晶材料が保持されている液晶表示装置において、前記複数の画像信号配線および複数の走査信号配線に接続された前記液晶表示装置を駆動するための信号を入力する複数の接続端子を前記液晶表示装置の一辺に形成し、この接続端子が形成された辺の端部に前記液晶表示装置を点灯表示させるための複数の検査端子を設ける。【選択図】図１
2004205852.tif 000002
【特許請求の範囲】
【請求項１】
複数の画像信号配線と、複数の走査信号配線とを絶縁膜を介して交差して設け、この画像信号配線と走査信号配線との交差部に、画素電極とこの画素電極に画像信号を供給するスイッチング素子とを設け、前記画素電極とこの画素電極に対向して設けられた対向電極との間に液晶材料が保持されている液晶表示装置において、前記複数の画像信号配線および複数の走査信号配線に接続された複数の駆動信号入力用の接続端子を装置本体の辺部に形成し、該辺部の一部に検査端子を設けたことを特徴とする液晶表示装置。
【請求項２】
前記検査端子の幅およびピッチが前記接続端子の幅およびピッチに比べ、双方とも大きくしたことを特徴とする請求項１に記載の液晶表示装置。
【請求項３】
前記複数の走査信号配線が複数のスイッチング素子を介して共通の走査信号共通配線に接続され、前記複数の画像信号配線が複数のスイッチング素子を介して共通の画像信号共通配線に接続され、前記複数のスイッチング素子のＯＮ／ＯＦＦを制御するためのスイッチング素子制御配線を設け、少なくとも検査端子が前記走査信号共通配線、画像信号共通配線およびスイッチング素子制御配線に接続されていることを特徴とする請求項２に記載の液晶表示装置。
【請求項４】
前記複数の走査信号配線の隣接する走査信号配線が一方向と他方向に分けられて表示領域の外部に引き出し、これらを前記複数の接続端子に接続し、これら分けられて一方向もしくは他方向に引き出された走査信号配線の隣接する引き出し配線がスイッチング素子を介して、それぞれ異なる複数の走査信号共通配線に接続されていることを特徴とする請求項３に記載の液晶表示装置。
【請求項５】
前記複数の画像信号配線の隣接する画像信号配線がスイッチング素子を介してそれぞれ異なる複数の画像信号共通配線に接続されていることを特徴とする請求項3に記載の液晶表示装置。
【請求項６】
前記複数の画像信号配線のうち、Ｒ画素用画像信号配線、Ｇ画素用画像信号配線、Ｂ画素用画像信号配線毎にスイッチング素子を介して異なる複数の画像信号共通配線に接続されていることを特徴とする請求項5に記載の液晶表示装置。
【請求項７】
ドライバＩＣを介して液晶パネルに画像を表示させる際には、各検査端子には、電圧を印加せず開放状態にしたことを特徴とする請求項３に記載の液晶表示装置。
【発明の詳細な説明】
【０００１】
【発明の属する技術分野】
本発明は液晶表示装置に関し、特に各画素にスイッチング素子を設けたアクティブマトリクス方式の液晶表示装置に関するものである。
【０００２】
【従来の技術】
アクティブマトリクス方式の液晶表示装置は、単純マトリクス方式と比べてコントラストが高く、多階調表示特性に優れているため、カラー液晶表示装置では欠かせない技術となっている。特に、スイッチング素子として薄膜トランジスタを使用したアクティブマトリクス方式の液晶表示装置は、ＣＲＴと同等の画質が得られるようになった。また、近年、カラー携帯電話の普及等から小型の液晶表示装置の需要が拡大している。
【０００３】
以下、図面を参照しながら、従来の携帯電話用の小型の液晶表示装置について説明する。
【０００４】
図４は従来の液晶表示装置の液晶パネルの概略図であり、図５は図４の液晶パネルの配線を模式的に示した回路図、図６は図５の一画素の回路図である。
【０００５】
これらの図に示すごとく、３１はカラーフィルタおよび対向電極が形成された対向基板、３２は複数のスイッチング素子、画素電極および配線が形成されたアレイ基板、３３は画像表示領域、３４は液晶パネルを駆動するためのドライバＩＣからの駆動信号を入力するための接続端子、３５は接続端子３４の両側に形成されたダミー端子、３６は走査信号配線、３７は画像信号配線、３８はスイッチング素子、３９は液晶材料の容量、４０は画素電極、４１は対向電極、４２は一画素、４３−１から４３−ｎは走査信号配線の引き出し配線、４４−１から４４−ｍは画像信号配線の引き出し配線、４５−１，４５−２は対向電極の引き出し配線である。
【０００６】
一般に携帯電話は縦長の構造であることから、特に左右方向の寸法制限が厳しく、液晶パネルとして３辺フリーでドライバＩＣからの信号接続端子を一辺に形成することが要求されている。そのため、従来の携帯電話用小型液晶表示装置では、複数の画像信号配線３７が引き出し配線４４を介して一方向に引き出され、液晶パネルの一辺に並んで配列された接続端子３４に接続されている。また、複数の走査信号配線３６は配線毎に交互に左右に引き出され、画像表示領域３３の外周部に形成された引き出し配線４３を介して一方向に引き出され、液晶パネルの一辺に並んで配列された接続端子３４に接続されている。
【０００７】
接続端子の並びについては、この接続端子が形成された辺の中央部に画像信号配線に接続された接続端子が、その両外側に対向電極に接続された接続端子が、更にその両外側に走査信号配線に接続された接続端子が、更にその両外側にダミー端子３５が配置されている。
【０００８】
通常携帯電話用の小型液晶表示装置では、上記に示したように液晶パネルの一辺に形成された接続端子にドライバＩＣの実装されたフレキシブル配線基板を異方性導電膜により貼り付けられた構造となっており、このドライバＩＣから液晶パネルに走査信号、画像信号、対向電極信号が供給され、液晶パネルに画像が表示される。
【０００９】
一般に液晶表示装置の製造工程においては、ドライバＩＣを実装する前に液晶パネルの点灯表示検査を実施することにより欠陥のない良品を選別し、このような良品検査を経た後に、ドライバＩＣを実装している。
【００１０】
このような検査によれば、従来の携帯電話用の小型液晶表示装置において、液晶パネルの一辺に並んで配置された複数の接続端子に直接、プローブピンを接触させ、検査信号を入力し、点灯表示検査を実施していた。
【００１１】
【発明が解決しようとする課題】
しかしながら、近年、表示画像の高精細化が進み、走査信号配線および画像信号配線の本数が増大することに伴い、液晶パネルの一辺に形成された接続端子数が増大し、その接続端子の間隔も５０μｍ以下にまで狭くなり、その結果、これを検査するために高精細で多ピンのプローブピンが必要になり、また、高精度の位置決めが可能な検査装置が必要になり、検査コストおよび検査時間が増大するという課題があった。
【００１２】
したがって、本発明は叙上に鑑みて案出されたものであり、その目的はドライバＩＣの実装前において、液晶パネルの点灯表示検査を容易に行うことができ、検査コストが削減でき、これにより、製造歩留まりを高め、製造コストを低減し、その結果、高品質かつ低コストな液晶表示装置を提供することにある。
【００１３】
【課題を解決するための手段】
本発明の液晶表示装置は、複数の画像信号配線と、複数の走査信号配線とを絶縁膜を介して交差して設け、この画像信号配線と走査信号配線との交差部に、画素電極とこの画素電極に画像信号を供給するスイッチング素子とを設け、前記画素電極とこの画素電極に対向して設けられた対向電極との間に液晶材料が保持されている液晶表示装置において、前記複数の画像信号配線および複数の走査信号配線に接続された複数の駆動信号入力用の接続端子を装置本体の辺部に形成し、該辺部の一部に検査端子を設けたことを特徴とする。
【００１４】
また、本発明の液晶表示装置は、前記検査端子の幅およびピッチが前記接続端子の幅およびピッチに比べ、双方とも大きくしたことを特徴とする。
【００１５】
更にまた、本発明の液晶表示装置は、 前記複数の走査信号配線が複数のスイッチング素子を介して共通の走査信号共通配線に接続され、前記複数の画像信号配線が複数のスイッチング素子を介して共通の画像信号共通配線に接続され、前記複数のスイッチング素子のＯＮ／ＯＦＦを制御するためのスイッチング素子制御配線を設け、少なくとも検査端子が前記走査信号共通配線、画像信号共通配線およびスイッチング素子制御配線に接続されていることを特徴とする。
【００１６】
また、本発明の液晶表示装置は、前記複数の走査信号配線の隣接する走査信号配線が一方向と他方向に分けられて表示領域の外部に引き出し、これらを前記複数の接続端子に接続し、これら分けられて一方向もしくは他方向に引き出された走査信号配線の隣接する引き出し配線がスイッチング素子を介して、それぞれ異なる複数の走査信号共通配線に接続されていることを特徴とする。
【００１７】
本発明の液晶表示装置は、前記複数の画像信号配線の隣接する画像信号配線がスイッチング素子を介してそれぞれ異なる複数の画像信号共通配線に接続されていることを特徴とする。
【００１８】
また、本発明の液晶表示装置は、前記複数の画像信号配線のうち、Ｒ画素用画像信号配線、Ｇ画素用画像信号配線、Ｂ画素用画像信号配線毎にスイッチング素子を介して異なる複数の画像信号共通配線に接続されていることを特徴とする。
【００１９】
更にまた、本発明の液晶表示装置は、ドライバＩＣを介して液晶パネルに画像を表示させる際には、各検査端子には、電圧を印加せず開放状態にしたことを特徴とする。
【００２０】
上記のごとき、本発明の液晶表示装置によれば、接続端子が形成された辺の端部に前記液晶表示装置を点灯表示させるための複数の検査端子を設けることで、ドライバＩＣ実装前の液晶パネルの点灯表示検査を容易に行うことができ、その結果、検査コストを低減できる。
【００２１】
【発明の実施の形態】
以下、本発明の実施の形態を添付図面に基づき詳細に説明する。
図１は本発明の液晶表示装置の液晶パネルの概略図、図２は図１の液晶パネルの配線を模式的に示した回路図、図３は図２の一画素の回路図である。
【００２２】
これらの図において、１はカラーフィルタおよび対向電極が形成された対向基板、２は複数のスイッチング素子、画素電極および配線が形成されたアレイ基板、３は画像表示領域、４は液晶パネルを駆動するためのドライバＩＣからの駆動信号を入力するための接続端子、５は接続端子３４の両側に形成された検査端子、６は走査信号配線、７は画像信号配線、８はスイッチング素子、９は液晶材料の容量、１０は画素電極、１１は対向電極、１２は一画素、１３−１から１３−ｎは走査信号配線の引き出し配線、１４−１から１４−ｍは画像信号配線の引き出し配線、１５，１６，１７，１８は検査用走査信号共通配線、１９は共通配線接続用スイッチング素子の制御用配線、２０，２１，２２は検査用画像信号共通配線、２３は検査用対向電極引き出し配線、２４は走査信号共通配線接続用スイッチング素子、２５は画像信号共通配線接続用スイッチング素子、２６−１，２６−２は対向電極の引き出し配線である。
【００２３】
本発明の液晶表示装置では、複数の画像信号配線７が引き出し配線１４を介して一方向に引き出され、矩形状の液晶パネルの一辺に並んで配列された接続端子４に接続されている。また、複数の走査信号配線６は配線毎に交互に一方向と、それに対向する他方向に、すなわち、図面上左右に引き出され、そして、画像表示領域３の外周部に形成された引き出し配線１３を介して引き出され、液晶パネルの一辺に並んで配列された接続端子４に接続されている。
【００２４】
接続端子の並びについては、この接続端子が形成された辺の中央部に画像信号配線に接続された接続端子が、その両外側に対向電極に接続された接続端子が、更にその両外側に走査信号配線に接続された接続端子が、更にその両外側に検査端子５が配置されている。
【００２５】
検査用端子５については、接続端子４に比べて端子幅および端子ピッチともに大きく形成され、プローブピンが容易にコンタクトできるように配慮された構造である。
【００２６】
また、左右に振り分けられて片側に引き出された走査信号配線の隣接する引き出し配線１３が１本毎にスイッチング素子２４を介してそれぞれ異なる走査信号共通配線１５，１６または１７，１８に接続され、更に検査端子５に接続されている。
【００２７】
更にまた、複数の画像信号配線１４が３本毎に配置されたＲ画素用画像信号配線、Ｇ画素用画像信号配線、Ｂ画素用画像信号配線毎にスイッチング素子２５を介して異なる複数の画像信号共通配線２０，２１，２２に接続され、そして、検査端子５に接続されている。
【００２８】
また、スイッチング素子２４，２５のゲート電極に接続され、このスイッチング素子をＯＮ／ＯＦＦするためのスイッチング素子制御配線１９が画像表示領域の外周に沿って形成され、検査端子５に接続されている。
【００２９】
また、対向電極１１に接続された対向電極引き出し配線２３が形成され検査端子５に接続されている。
【００３０】
ここで、検査端子５を使った液晶パネルの検査方法について説明する。
【００３１】
検査端子５を介して、スイッチング素子制御配線１９にトランジスタのＯＮ信号を印加した状態で、対向電極引き出し配線２３に対向電極駆動信号を、走査信号共通配線１５，１６または１７，１８に走査線駆動信号を、画像信号共通配線２０，２１，２２に画像信号線駆動信号を印加し、これにより、液晶パネル前面に画像を表示させ、表示欠陥等を検査する。
【００３２】
すなわち、走査信号共通配線１５，１６，１７，１８、画像信号共通配線２０，２１，２２、対向電極引き出し配線２３、スイッチング素子制御配線１９に接続された９個端子よりなる検査端子５にプローブピンを使って信号を印加することにより、液晶パネルの点灯表示検査を行う。
【００３３】
ここで、走査信号共通配線１５，１６，１７，１８のうち、特定の配線にのみ走査信号配線駆動信号を印加することにより、スイッチング素子２４を介して共通に接続されている任意走査信号配線に接続された画素のみを点灯表示させることができ、これにより、走査信号配線間のショートや画素欠陥が検出できる。
【００３４】
また、画像信号共通配線２０，２１，２２のうち、特定の配線にのみ画像信号配線駆動信号を印加することにより、スイッチング素子２５を介して共通に接続されている任意画像信号配線に接続された画素のみの点灯表示ができ、また、Ｒ，Ｇ，Ｂ単色表示もでき、これによって画像信号配線間のショートや画素欠陥、カラーフィルタのムラ等が検出できる。
【００３５】
また、通常携帯電話用の小型化した液晶表示装置によれば、上述したごとく、液晶パネルの一辺に形成された接続端子にドライバＩＣの実装されたフレキシブル配線基板を異方性導電膜により貼り付けた構造となっており、このドライバＩＣから液晶パネルの各配線毎に走査信号、画像信号、対向電極信号が供給され、液晶パネルに画像が表示されるが、このように実際に製品としてドライバＩＣを介して液晶パネルに画像を表示させる際には、各検査端子には、電圧を印加せず開放状態にしておいても問題はない。
【００３６】
かくして本発明によれば、ドライバＩＣの実装前において、液晶パネルの点灯表示検査を容易に行うことができ、検査コストが削減でき、これにより、製造歩留まりを高め、製造コストを低減した。そして、このように容易な検査でもって製造効率を高めたことで、高品質かつ低コストな液晶表示装置を提供することができた。
【００３７】
【発明の効果】
以上の通り、本発明の液晶表示装置によれば、上述したごとく、接続端子が形成された辺の端部に装置本体を点灯表示させるための複数の検査端子を設けることで、ドライバＩＣ実装前の液晶パネルの点灯表示検査を容易に行うことができ、その結果、製造歩留まりを高め、製造コストを低減し、高品質かつ低コストな液晶表示装置が提供できた。
【図面の簡単な説明】
【図１】本発明の液晶表示装置の液晶パネルの概略図である。
【図２】本発明に係る液晶パネルの配線を模式的に示した回路図である。
【図３】本発明に係る液晶パネルの一画素の回路図である。
【図４】従来の液晶表示装置に係る液晶パネルの概略図である。
【図５】従来の液晶パネルの配線を模式的に示した回路図である。
【図６】従来の液晶パネルの一画素の回路図である。
【符号の説明】
１，３１・・・対向基板、２，３２・・・アレイ基板、３，３３・・・画像表示領域、４，３４・・・接続端子、５，３５・・・検査端子、６，３６・・・走査信号配線、７，３７・・・画像信号配線、８，３８・・・スイッチング素子、９，３９・・・液晶材料の容量、１０，４０・・・画素電極、１１，４１・・・対向電極、１２，４２・・・一画素、１３−１から１３−ｎ，４３−１から４３−ｎ・・・走査信号配線の引き出し配線、１４−１から１４−ｍ，４４−１から４４−ｍ・・・画像信号配線の引き出し配線、１５，１６，１７，１８・・・検査用走査信号共通配線、１９・・・共通配線接続用スイッチング素子の制御用配線、２０，２１，２２・・・検査用画像信号共通配線、２３・・・検査用対向電極引き出し配線、２４・・・走査信号共通配線接続用スイッチング素子、２５・・・画像信号共通配線接続用スイッチング素子、２６−１，２６−２，４５−１，４５−２・・・対向電極の引き出し配線
【図１】
2004205852.tif 000003
【図２】
2004205852.tif 000004
【図３】
2004205852.tif 000005
【図４】
2004205852.tif 000006
【図５】
2004205852.tif 000007
【図６】
2004205852.tif 000008